(57)【要約】      （修正有）【課題】コストダウンを図ると共に、走査体の初期位置を迅速且つ確実に検出する。【解決手段】原稿１１が載置される透明な原稿台１２の下方において画像読取範囲を移動してスキャンする走査体１４と原稿１１の画像を読み取る画像読取センサ１６とを備えた画像読取装置１０であって、画像読取センサ１６が主走査方向の画像領域外に副走査方向に沿って設けられた位置検出用ラインを読み取ることによって走査体１４の初期位置を検出する。【選択図】図１
2011077584.tif 000002
【特許請求の範囲】
【請求項１】
原稿が載置される透明な原稿台の下方において画像読取範囲を移動してスキャンする走査体と前記原稿の画像を読み取る画像読取センサとを備えた画像読取装置であって、
前記画像読取センサが主走査方向の画像領域外に副走査方向に沿って設けられた位置検出用ラインを読み取ることによって前記走査体の初期位置を検出することを特徴とする画像読取装置。
【請求項２】
前記位置検出用ラインは異なる副走査方向の位置で異なる幅を有している請求項１に記載の画像読取装置。
【請求項３】
前記位置検出用ラインは副走査方向に対して傾斜する直線を有している請求項２に記載の画像読取装置。
【請求項４】
前記位置検出用ラインは副走査方向に対して湾曲する曲線を有している請求項２に記載の画像読取装置。
【請求項５】
前記位置検出用ラインは後原稿サイズ指示板に設けられている請求項１〜４のいずれか１の請求項に記載の画像読取装置。
【請求項６】
前記位置検出用ラインと主走査方向の画像中心線との間の主走査方向の距離により前記走査体の副走査方向の位置を検出する請求項１〜５のいずれか１の請求項に記載の画像読取装置。
【請求項７】
複数の副走査方向の位置で前記位置検出用ラインを読み取る請求項１〜６のいずれか１の請求項に記載の画像読取装置。
【請求項８】
前記位置検出用ラインの幅により前記走査体の副走査方向の位置を検出する請求項１〜４のいずれか１の請求項に記載の画像読取装置。
【請求項９】
検出した前記位置検出用ラインの幅が所定の幅でない場合、その前後の幅を検出し、該検出結果に基づき、前記走査体の副走査方向の位置を検出する請求項８に記載の画像読取装置。
【請求項１０】
前記請求項１〜９のいずれかに記載の画像読取装置を備えてなる画像形成装置。
【発明の詳細な説明】
【技術分野】
【０００１】
本発明は、透明な原稿台上に載置された原稿の画像を画像読取用センサによって読み取る画像読取装置に関し、特に、画像読取センサが走査体の初期位置を検出する画像読取装置及び該画像読取装置を備えた画像形成装置に関する。
【背景技術】
【０００２】
従来、スキャナ、複写機等の画像形成装置には、透明な原稿台上に載置された原稿の画像を読み取るために画像読取装置が設けられている。この画像読取装置には、通常、原稿が載置される透明な原稿台の下方において画像読取範囲を移動してスキャンする走査体と、該走査体がスキャンしたデータにより前記原稿の画像を読み取る画像読取センサと、前記走査体の初期位置を検出する位置検出用センサとが備えられており、この位置検出用センサのＯＮ／ＯＦＦ状態によって前記走査体の動き出し方向や初期位置の検出動作を行うようになっている。
【０００３】
また、近年では、コストダウンを図るため、画像読取センサでマーキング等を読み取ることによって、位置検出用センサを廃止した画像読取装置も提案されている。従来のこの種の画像読取装置としては、例えば、白色基準部材を黒色両面テープで貼り付け、黒色両面テープの境界部を画像読取センサで検出する方式を採用した装置が提案されている（例えば、特許文献１参照）。
【先行技術文献】
【特許文献】
【０００４】
【特許文献１】特開２００６−１４８６３５号公報
【発明の概要】
【発明が解決しようとする課題】
【０００５】
しかしながら、上記した従来の位置検出用センサを画像読取センサと別個に設けた画像読取装置では、位置検出用センサが必要となる分、コストダウンが図り難いといった問題があった。
【０００６】
また、この場合の位置検出用センサは、走査体の駆動ギアのバックラッシュのため、走査体の動き出し方向によって走査体の初期位置の検出精度が異なるといった問題もあった。
【０００７】
一方、上記した従来の位置検出センサを廃止した画像読取装置では、走査体が検出動作を開始する位置や、原稿台上におけるマットの開閉状態や原稿の載置状態等によって、画像読取用センサの読取値が異なるため、走査体が移動する際に原稿台の周囲にあるスキャナフレームに衝突してしまったり、走査体の初期位置を誤検出してしまったりする可能性があり、走査体の初期位置を迅速且つ確実に検出することが難しいといった問題があった。
【０００８】
本発明は上記した課題を解決すべくなされたものであり、コストダウンを図ると共に、走査体の初期位置を迅速且つ確実に検出することのできる画像読取装置及び画像形成装置を提供することを目的とする。
【課題を解決するための手段】
【０００９】
上記した目的を達成するため、本発明は、原稿が載置される透明な原稿台の下方において画像読取範囲を移動してスキャンする走査体と前記原稿の画像を読み取る画像読取センサとを備えた画像読取装置であって、前記画像読取センサが主走査方向の画像領域外に副走査方向に沿って設けられた位置検出用ラインを読み取ることによって前記走査体の初期位置を検出することを特徴とする。
【００１０】
そして、本発明に係る画像読取装置において、前記位置検出用ラインは異なる副走査方向の位置で異なる幅を有していてもよく、また、前記位置検出用ラインは副走査方向に対して傾斜する直線を有していてもよく、さらにまた、前記位置検出用ラインは副走査方向に対して湾曲する曲線を有していてもよい。
【００１１】
また、本発明に係る画像読取装置において、前記位置検出用ラインは後原稿サイズ指示板に設けられていてもよい。
【００１２】
さらに、本発明に係る画像読取装置は、前記位置検出用ラインと主走査方向の画像中心線との間の主走査方向の距離により前記走査体の副走査方向の位置を検出してもよい。
【００１３】
さらにまた、本発明に係る画像読取装置は、複数の副走査方向の位置で前記位置検出用ラインを読み取ってもよい。
【００１４】
さらに、本発明に係る画像読取装置は、前記位置検出用ラインの幅により前記走査体の副走査方向の位置を検出してもよい。
【００１５】
さらに、検出した前記位置検出用ラインの幅が所定の幅でない場合、その前後の幅を検出し、該検出結果に基づき、前記走査体の副走査方向の位置を検出してもよい。
【００１６】
さらにまた、本発明は、上記した画像読取装置を備えてなる画像形成装置であってもよい。
【発明の効果】
【００１７】
本発明によれば、コストダウンを図ると共に、走査体の初期位置を迅速且つ確実に検出することができる等、種々の優れた効果を得ることができる。
【図面の簡単な説明】
【００１８】
【図１】本発明の実施の形態に係る画像読取装置を示す側面図である。
【図２】本発明の実施の形態に係る画像読取装置を示す裏面図である。
【図３】本発明の実施の形態に係る画像読取装置の他の例を示す裏面図である。
【発明を実施するための形態】
【００１９】
以下、図面を参照しつつ、本発明の実施の形態について説明する。ここで、図１は本発明の実施の形態に係る画像読取装置を示す側面図、図２は同画像読取装置を示す裏面図である。
【００２０】
本発明の実施の形態に係る画像読取装置１０は、スキャナ、複写機等の画像形成装置に設けられ、原稿１１が載置される透明な原稿台としてのコンタクトガラス１２と、コンタクトガラス１２の周囲に矩形枠状に設けられる黒色のスキャナフレーム１３と、コンタクトガラス１２の下方において画像読取範囲を移動してスキャンする走査体１４と、レンズ１５を通して前記原稿の画像を読み取る画像読取センサとしてのＣＣＤ（Charge-Coupled Device）センサ１６と、走査体１４とレンズ１５とＣＣＤセンサ１６等を収容する筐体１７とを備えて構成されている。
【００２１】
コンタクトガラス１２の副走査方向の一端（図１及び図２の左端）の画像領域外には、主走査方向（図１の紙面垂直方向及び図２の縦方向）に沿って帯状で黒色の左原稿サイズ指示板１８が設けられており、この左原稿サイズ指示板１８の裏面には白色基準部材１９が貼付されている。なお、この左原稿サイズ指示板１８は原稿搬送読込方式における原稿搬送部材を兼ねており、スキャナフレーム１３とは別部材で構成されている。また、左原稿サイズ指示板１８を挟んでコンタクトガラス１２の反対側でスキャナフレーム１３との間の帯状の隙間には原稿搬送読取用の読取ガラス２０が取り付けられている。
【００２２】
コンタクトガラス１２の主走査方向の一端（図２の上端）の画像領域外には、副走査方向（図２の左右方向）に沿って帯状で黒色の後原稿サイズ指示板２１が貼付されており、この後原稿サイズ指示板２１の裏面にはＣＣＤセンサ１６の読取可能領域に白色の位置検出用ライン２２が設けられている。この位置検出用ライン２２は副走査方向の他端（図２の右端）側に向うに従って主走査方向の幅が漸次広くなるように形成されており、位置検出用ライン２２の内側（図２の下側）には直線２３が副走査方向に対して傾斜するように形成されている。なお、この場合の位置検出用ライン２２の設置位置は、後原稿サイズ指示板２１の裏面ではなく、コンタクトガラス１２の主走査方向の一端（図２の上端）の画像領域外であってもよい。
【００２３】
走査体１４は、光源２４及び第１ミラー２５を有する第１走査体２６と、第２ミラー２７及び第３ミラー２８を有する第２走査体２９とによって構成されている。そして、光源２４から原稿１１に照射され、第１〜第３ミラー２５，２７，２８で反射された光はレンズ１５を通ってＣＣＤセンサ１６に受光され、走査体１４の初期位置は、常に副走査方向の同一方向からＣＣＤセンサ１６によって検出されるようになっている。
【００２４】
このような構成を備えた画像読取装置１０において、コンタクトガラス１２上の原稿の画像を読み取る場合、走査体１４が初期位置（図２中において二点鎖線で示す。）から移動を開始し、画像読み取り範囲を移動し、初期位置に戻る動作を行う。この時、ＣＣＤセンサ１６が繰り返し画像の読み取りを行った場合でも同じ範囲を読み取る精度を確保するため、走査体１４がスキャンする毎にＣＣＤセンサ１６は初期位置検出を行う。また、スキャン途中で走査体１４が停止した場合でも、走査体１４を適切に初期位置に戻す必要があるため、電源投入時には、走査体１４の初期位置の検出を行う。
【００２５】
走査体１４の初期位置を検出する場合、先ず、ＣＣＤセンサ１６は、画像領域外の副走査方向の位置検出用ライン２２の内側の傾斜する直線２３を読み取り、この位置検出用ライン２２の直線２３と主走査方向の画像中心線ＣＬ（図２中において一点鎖線で示す。）との間の主走査方向の距離Ｌにより走査体１４の副走査方向の位置を検出する。その後、制御部（図示省略）は、この検出結果に基づき、走査体１４の初期位置を演算、検出し、走査体１４に所定の動作を行わせ、走査体１４を初期位置に戻す。
【００２６】
なお、この時、ＣＣＤセンサ１６は、位置検出用ライン２２の主走査方向の幅を読み取ることによって走査体１４の副走査方向の位置を検出してもよい。
【００２７】
また、走査体１４の初期位置を検出する際にＣＣＤセンサ１６が位置検出用ライン２２を読み取ることができなかった場合、前記制御部は、走査体１４が副走査方向の一端側（左原稿サイズ指示板１８の下方又は読取ガラス２０の下方）に位置していると判断し、走査体１４を副走査方向の他端側（図２の右側）に一端移動させた後、上記したように、走査体１４の初期位置を検出し、走査体１４を初期位置に戻す。
【００２８】
上記したように、本発明の実施の形態に係る画像読取装置１０によれば、位置検出用ライン２２を主走査方向の画像領域外に設けることにより、画像読取センサ（ＣＣＤセンサ１６）で走査体１４の副走査方向の位置を検出することができるため、位置検出用センサを廃止することができ、コストダウンを図ることができる。
【００２９】
また、ＣＣＤセンサ１６によって画像領域外を検知することにより、コンタクトガラス１２上の原稿１１や原稿台マット（図示省略）の開閉に左右されることなく走査体１４の位置を検出することができ、また、走査体１４の駆動ギアのバックラッシュのため、走査体１４の動き出し方向によって走査体の初期位置の検出精度が異なることもない。したがって、ＣＣＤセンサ１６の読取値の精度が向上し、走査体１４が移動する際にスキャナフレーム１３に衝突してしまったり、走査体１４の初期位置を誤検出してしまったりするおそれがなく、装置の信頼性を高めることができると共に、走査体１４の位置検出時間の短縮化を図ることもできる。
【００３０】
さらに、位置検出用ライン２２を、上記したように後原稿サイズ指示板２１の裏面やコンタクトガラス１２に取り付けた場合、走査体１４やＣＣＤセンサ１６に対する位置検出用ライン２２の位置出しを簡単且つ高精度に行うことができるため、走査体１４の初期位置の検出精度を高めることができる。
【００３１】
なお、上記した本発明の実施の形態では、位置検出ライン２２を後原稿サイズ指示板２１の裏面やコンタクトガラス１２に取り付けているが、これは単なる例示に過ぎず、例えば、図３に示すように、スキャナフレーム１３の主走査方向の一端（図２の上端）の画像領域外であってＣＣＤセンサ１６の読取可能領域に設けてもよい。この場合、走査体１４の可動範囲全域に位置検出ライン２２が設置されており、走査体１４の位置がどこであってもＣＣＤセンサ１６により走査体１４の位置を検出することができるため、走査体１４の位置検出を一段と迅速且つ正確に行うことができるようになる。
【００３２】
なお、上記した本発明の実施の形態では、スキャナフレーム１３を黒色、位置検出用ライン２２を白色に設定したが、本発明はこの色の組み合わせに限定されるものではなく、各種変更が可能である。
【００３３】
また、位置検出用ライン２２の検出箇所は１箇所に限定されるものではなく、複数の副走査方向の位置で位置検出用ライン２２を読み取ることにより走査体１４の初期位置を検出することもできる。この場合、複数の位置検出結果に基づき走査体１４の初期位置を決定することができるため、走査体１４の位置検出精度をより高めることが可能となる。
【００３４】
さらに、上記した位置検出用ライン２２の形状や設置場所についても単なる例示に過ぎず、例えば、位置検出用ライン２２の直線２３の代わりに、副走査方向に対して湾曲する曲線を設けたり、或いは、主走査方向の他端（図２，３の下端）の画像領域外に副走査方向に沿って位置検出ライン２２を設けたりしてもよい。なお、直線２３の代わりに曲線を設けた場合、副走査方向の２箇所で位置検出ライン２２を検出し、両者の差によって走査体１４の位置を検出することもできる。
【００３５】
さらにまた、位置検出ライン２２が設置されている後原稿サイズ指示板２１の裏面やコンタクトガラス１２又はスキャナフレーム１３が汚れている等の理由により、ＣＣＤセンサ１６が検出した位置検出用ライン２２の幅が予め記憶された所定の幅でないと判断した場合、その前後の幅を検出し、該検出結果に基づき、走査体１４の副走査方向の位置を検出するように構成してもよい。
【符号の説明】
【００３６】
１０          画像読取装置
１１          原稿
１２          コンタクトガラス（原稿台）
１３          スキャナフレーム
１４          走査体
１６          ＣＣＤセンサ（画像読取センサ）
２１          後原稿サイズ指示板
２２          位置検出用ライン
２３          直線
【図１】
2011077584.tif 000003
【図２】
2011077584.tif 000004
【図３】
2011077584.tif 000005